(57)【特許請求の範囲】
【請求項１】
トンネルの周面に略倣うように敷設される防水シートが引き出される防水シートロールが載置される防水シートロール受台であって、
非動力で回転自在に軸支される送りローラーを有し、
複数の前記送りローラーが、防水シートロールを載置可能で上方に凹の略弧状の仮想スロープを形成するように離間配置されていると共に、
前記送りローラーの軸方向と並行に延設されて前記防水シートロール受台を相互に連結する連結ロッドを保持するロッド保持部が設けられていることを特徴とする防水シートロール受台。
【請求項２】
トンネルの周面に略倣う形状の外周面を有する防水シート架台と、
前記トンネルの下部の幅方向における一方の端部近傍に設けられ、前記送りローラーの軸方向が前記トンネルの延長方向と略並行となるように設置される請求項１記載の防水シートロール受台と、
前記トンネルの下部の幅方向における他方の端部側から前記一方の端部側へと前記防水シート架台の外周に架け渡され、先端側が前記防水シートロール受台に載置される前記防水シートロールの巻き終わり端に取り付けられる牽引索と、
前記牽引索を前記他方の端部側に引っ張るウィンチとを備え、
前記防水シートロール受台が前記トンネルの延長方向に間隔を開けて設けられ、
前記連結ロッドが前記送りローラーの軸方向と並行に延設され、
前記間隔を開けて設けられている複数の前記防水シートロール受台の前記ロッド保持部の各々で前記連結ロッドが保持されることを特徴とする防水シートの敷設機構。
【請求項３】
前記トンネルの下部の幅方向における前記一方の端部側において、前記防水シートロール受台に載置される前記防水シートロールから引き出される前記防水シートを前記防水シート架台の外周面側に誘導する誘導ローラーが前記防水シート架台に設けられることを特徴とする請求項２記載の防水シートの敷設機構。
【請求項４】
請求項２又は３記載の防水シートの敷設機構を用いて防水シートを敷設する方法であって、
芯管無しで巻き始め端から巻かれた防水シートロールを前記防水シートロール受台に載置し、前記牽引索の先端側を前記防水シートロールの巻き終わり端に取り付け、前記ウィンチで前記牽引索を引っ張って前記防水シートロールから防水シートを引き出し、前記防水シート架台の外周面に略沿うように展張する工程を備えることを特徴とする防水シートの敷設方法。
【発明の詳細な説明】
【技術分野】
【０００１】
本発明は、例えばトンネルの周面に倣うように防水シートを敷設する際に用いる防水シートロール受台、防水シートの敷設機構及び敷設方法に関する。
【背景技術】
【０００２】
従来、山岳トンネルで覆工コンクリート背面に防水シートを敷設する方法として、トンネル内周に形成された吹付コンクリート面に人力で防水シートを釘等で止着する方法がある。この方法は、通常、幅２ｍ程度で長さがトンネル周長に対応した防水シートを用いて、１枚ずつ吹付コンクリート面に略沿うように展張しながら止着していき、これをトンネル延長方向に順次接続していくものである。
【０００３】
しかし、吹付コンクリート面には凹凸が存在するのが通常であり、人力で止着する方法では、人力で調整しながら馴染ませても防水シートに垂れや緩みが生じることは避けられず、必要なレベルで防水シートを平滑に展張して敷設するのは困難な作業となる。そのため、特許文献１のように、移動式のシート架台を用いて防水シートを展張し、防水シートとトンネル内壁面との間に充填材を充填して固着させ、防水シートを平滑に敷設することができる手法も提案されている。
【先行技術文献】
【特許文献】
【０００４】
【特許文献１】特開２００２−２１４９２号公報
【発明の概要】
【発明が解決しようとする課題】
【０００５】
ところで、防水シート敷設作業の効率化の観点から、特に特許文献１のようにシート架台を用いて防水シートを敷設する場合には、より幅広の防水シートを用いることが要求されている。例えば２．２ｍ幅の不織布付の防水シートを５枚並列に並べて各シートの端部同士を重ねて溶着接合して形成された１０．６ｍ幅の防水シートのような幅広の防水シートが用いられている。斯様な幅広の防水シートは、直径１５０ｍｍの紙製の芯管に巻き取って防水シートロールとされ、現場に搬送される。
【０００６】
そして、図１０（ａ）に示すように、防水シートロール２０１の紙製の芯管２０３内に軸となる鋼管２０４を通し、鋼管２０４の両端部を軸受具２０５で受け、防水シートロール２０１から幅広の防水シート２０２を巻き出しながら、シート架台上に引っ張り上げることが行われている。
【０００７】
しかしながら、１０．６ｍ幅シートでは軸となる鋼管２０４の長さが１１ｍとなり、両端部を軸受具２０５、２０５で支持すると、鋼管２０４自体が撓んでしまう為、防水シートロール２０１も中央近傍が下方に撓み、シートの巻き出し作業が非常に困難となる。また、紙製の芯管２０３に巻かれた防水シートロール２０１は、図１０（ｂ）に示すように、荷下ろし等で吊り具２０６で吊ったときに紙製の芯管２０３がバンド２０７のところで折れ曲がったり、現場に積み上げて保管している間に下段の防水シートロール２０１の紙管の芯管２０３が湿気等で弱くなって潰れたりすることがある。紙製の芯管２０３が折れ曲がったり、潰れた場合には芯管２０３に鋼管２０４を通すことができず、敷設作業ができなくなってしまう。
【０００８】
この問題を回避する手段として、防水シートロール２０１の芯管２０３が折れ曲がらないように特殊な長尺荷下ろし治具を用いることや、防水シートロール２０１を積み上げずに保管することも考えられるが、特殊な荷下ろし治具の使用コスト、防水シートロール２０１の保管コストの増加で経済性が悪化してしまい、またトンネル施工現場では保管スペースも限られることから現実的には難しい。更に、仮に経済性、保管スペースの問題をクリアしたとしても、湿度による紙製の芯管２０３の弱体化の問題は残ってしまう。
【０００９】
また、別の回避手段として、芯管２０３を強度の高いプラスチック製等にすれば、折れ曲がりや潰れる問題を解消することは可能であるが、別の問題として、廃棄物となるプラスチック製等の芯管の廃棄処理に大変な労力とコストを要することになる。
【００１０】
本発明は上記課題に鑑み提案するものであって、芯管のない防水シートロールを用いることを可能にし、低コスト、高効率で防水シートの敷設作業を確実に行うことを可能にする防水シートロール受台、防水シートの敷設機構及び敷設方法を提供することを目的とする。
【課題を解決するための手段】
【００１１】
本発明の防水シートロール受台は、トンネルの周面に略倣うように敷設される防水シートが引き出される防水シートロールが載置される防水シートロール受台であって、非動力で回転自在に軸支される送りローラーを有し、複数の前記送りローラーが、防水シートロールを載置可能で上方に凹の略弧状の仮想スロープを形成するように離間配置されていると共に、前記送りローラーの軸方向と並行に延設されて前記防水シートロール受台を相互に連結する連結ロッドを保持するロッド保持部が設けられていることを特徴とする。
これによれば、防水シートロール受台の複数の送りローラーが防水シートロールの回転を外周面から補助し、防水シートロールの芯管の有無を問わずに防水シートロールの回転を補助することができる。従って、防水シートを敷設する際に芯管のない防水シートロールを用いることが可能となり、防水シートロールの荷下ろし、保管作業に芯管折れ曲がり防止用の特殊器具を用いる等の特別な配慮を行わずとも、低コスト、高効率で防水シートの敷設作業を確実に行うことが可能となる。また、芯管のない防水シートロールを用いることが可能となるから、防水シートロールの嵩張りが減った分だけトラックへの積載本数を増やして輸送コストを低減し、芯管のコストを低減することができると共に、芯管の折れ曲がりや潰れで防水シートロールを無駄にすることがなく、歩留まりの高い作業が可能となり、更に、芯管のない防水シートロールは保管時に楕円状に潰れるので、積上段数を多くする等で保管場所での保管本数を増やすことができる。更に、芯管のない防水シートロールを用いることが可能となるから、芯管の廃棄処理が全く不要となる。また、連結ロッド及びロッド保持部で一体化した複数の防水シートロール受台で幅広の防水シートロールの回転を補助し、幅広の防水シートを安定して引き出すことができる。また、防水シートの幅や重さに合わせて自在に一体的に設ける防水シートロール受台の設置個数を調整することが可能となる。また、送りローラーは非動力で設けられることから、防水シートロール受台を複数設けても駆動同期させる調整作業は不要である。
【００１２】
本発明の防水シートの敷設機構は、トンネルの周面に略倣う形状の外周面を有する防水シート架台と、前記トンネルの下部の幅方向における一方の端部近傍に設けられ、前記送りローラーの軸方向が前記トンネルの延長方向と略並行となるように設置される本発明の防水シートロール受台と、前記トンネルの下部の幅方向における他方の端部側から前記一方の端部側へと前記防水シート架台の外周に架け渡され、先端側が前記防水シートロール受台に載置される前記防水シートロールの巻き終わり端に取り付けられる牽引索と、前記牽引索を前記他方の端部側に引っ張るウィンチとを備え、前記防水シートロール受台が前記トンネルの延長方向に間隔を開けて設けられ、前記連結ロッドが前記送りローラーの軸方向と並行に延設され、前記間隔を開けて設けられている複数の前記防水シートロール受台の前記ロッド保持部の各々で前記連結ロッドが保持されることを特徴とする。
これによれば、本発明の防水シートロール受台と同様の効果を奏すると共に、防水シートロールの芯管の有無を問わずに、トンネルの周面に略倣うようにして平滑に防水シートを展張することができる。また、連結ロッド及びロッド保持部で一体化した複数の防水シートロール受台で幅広の防水シートロールの回転を補助し、幅広の防水シートを安定して引き出すことができる。また、防水シートの幅や重さに合わせて自在に一体的に設ける防水シートロール受台の設置個数を調整することが可能となる。また、送りローラーは非動力で設けられることから、防水シートロール受台を複数設けても駆動同期させる調整作業は不要である。
【００１３】
本発明の防水シートの敷設機構は、前記トンネルの下部の幅方向における前記一方の端部側において、前記防水シートロール受台に載置される前記防水シートロールから引き出される前記防水シートを前記防水シート架台の外周面側に誘導する誘導ローラーが前記防水シート架台に設けられることを特徴とする。
これによれば、防水シートロールから防水シートが引き出されて防水シート架台の外周面側に導かれる際に、防水シート架台の構成部品等と防水シートが接触して破損することを防止することができる。
【００１４】
本発明の防水シートの敷設方法は、本発明の防水シートの敷設機構を用いて防水シートを敷設する方法であって、芯管無しで巻き始め端から巻かれた防水シートロールを前記防水シートロール受台に載置し、前記牽引索の先端側を前記防水シートロールの巻き終わり端に取り付け、前記ウィンチで前記牽引索を引っ張って前記防水シートロールから防水シートを引き出し、前記防水シート架台の外周面に略沿うように展張する工程を備えることを特徴とする。
これによれば、本発明の防水シートの敷設機構と同様の効果を奏すると共に、芯管のない防水シートロールをトンネルの周面に略倣うようにして平滑に展張することができる。
【発明の効果】
【００１５】
本発明によれば、芯管のない防水シートロールを用いることが可能となり、低コスト、高効率で防水シートの敷設作業を確実に行うことが可能となる。
【図面の簡単な説明】
【００１６】
【図１】本発明による実施形態の防水シートロール受台を示す斜視図。
【図２】図１の防水シートロール受台に防水シートロールを載置した状態の側面図。
【図３】本発明による実施形態の防水シートの敷設機構を示す断面説明図。
【図４】離間配置された防水シートロール受台を示す斜視説明図。
【図５】離間配置されて連結ロッドで連結された防水シートロール受台の正面図。
【図６】実施形態の防水シートの敷設機構における防水シートロール受台の周辺を示す断面説明図。
【図７】（ａ）〜（ｃ）は地山にロックボルトを打設して二次覆工型枠を配置するまでの施工工程を示す説明図。
【図８】実施形態の防水シートの敷設機構で敷設された防水シート、充填された充填材及びシート架台の一部を示す断面説明図。
【図９】芯管のない防水シートロールを積み上げて保管している状態を示す斜視説明図。
【図１０】（ａ）従来例の防水シートロールの芯管に挿通された鋼管を軸受具で支持している状態を示す斜視説明図、（ｂ）従来例の防水シートロールを吊り具で吊った状態を示す説明図。
【発明を実施するための形態】
【００１７】
〔実施形態の防水シートロール受台、防水シートの敷設機構及び敷設方法〕
本発明による実施形態の防水シートロール受台１は、防水シート１０ａが引き出される防水シートロール１０が載置されるものであり、図１及び図２に示すように、一対の側板１１・１１を有する。一対の側板１１・１１は、それぞれ上端面に弧状部１１１・１１１が形成されており、弧状部１１１は、正面側の上端が背面側の上端よりも低くなるようにして形成されている。一対の側板１１・１１は、弧状部１１１・１１１の高さを揃えるようにして所定間隔を開けて対向配置されている。
【００１８】
一対の側板１１・１１の正面側と背面側には、略Ｌ字状の支持部材１２が側板１１・１１間を架け渡すようにそれぞれ設けられ、側板１１・１１の端面に両端部を溶接等で固定されている。更に、一対の側板１１・１１の正面側と背面側における略Ｌ字状の支持部材１２よりも上方位置には、細長板状の支持部材１３が側板１１・１１間を架け渡すようにそれぞれ設けられ、側板１１・１１の端面に両端部を溶接等で固定されている。
【００１９】
側板１１の前端近傍の下部内面と後端近傍の下部内面には、それぞれ支持脚１４が溶接等で固定されており、離間して固定されている一対の側板１１・１１の全体で、四隅の下部から突出するように４個の支持脚１４が設けられている。
【００２０】
正面側の支持部材１３には、前方に突出するクランプ状のロッド保持部１５が設けられ、背面側の支持部材１３には、後方に突出するクランプ状のロッド保持部１５が設けられており、略弧状の把持部を閉じてネジ留め或いはボルト締めすることにより、挿入される連結ロッド６を保持するようになっている。連結ロッド６は、間隔を開けて配置される複数の防水シートロール受台１を相互に連結する際に用いられ、後述する送りローラー１６の軸方向と並行に延設され、正面側のロッド保持部１５に、若しくは背面側のロッド保持部１５に、若しくは正面側と背面側のロッド保持部１５の双方に、挿入するようにして設けられる（図４、図５参照）。
【００２１】
尚、図示例では各支持部材１３に設けられるロッド保持部１５を２個としたが、単数若しくは３個以上の複数とすることも可能であり、例えばより幅広の把持部を有するクランプ状のロッド保持部１５を単数で設けてもよい。また、ロッド保持部１５は、クランプ状に限定されず、連結ロッド６を保持可能な構成であれば適宜である。また、ロッド保持部１５は、防水シートロール受台１の正面側若しくは背面側の一方にのみ設ける構成とすることも可能である。
【００２２】
一対の側板１１、１１の間には、複数の送りローラー１６が非動力で回転自在に軸支され、相互に間隔を開けて並行に設けられている。送りローラー１６の軸端部を側板１１で回転可能に支持する構成は適宜であり、例えば側板１１の内面に形成された有底凹部に軸端部を嵌める、若しくは側板１１に形成された貫通孔に軸端部を挿通する、若しくは側板１１に形成された貫通孔に軸端部を挿通し、側板１１の外側で軸端部にナット等の環状部材を外周に固定して抜け止めする構成等とすることが可能である。
【００２３】
複数の送りローラー１６は、防水シートロールを載置可能で上方に凹の略弧状の仮想スロープを形成するように離間配置されており、各送りローラー１６の一部が、一対の側板１１・１１の弧状部１１１・１１１から内側に突出するようにして設けられている。この各送りローラー１６の突出部分にて載置される防水シートロール１０を支持することで、載置された防水シートロール１０が側板１１・１１に接触しないようになっている。
【００２４】
上記防水シートロール受台１を用いて防水シート１０ａの敷設機構を構成する際には、例えば図３及び図６に示すように、防水シートロール受台１、防水シート架台２、牽引索３、ウィンチ４、誘導ローラー５とから構成する。本例は、トンネル掘削面から地山１０１にロックボルト１０３が放射状に打設されていると共に、トンネル掘削面を覆うように内側に吹付コンクリート１０２が設けられ、吹付コンクリート１０２の内側に離間して防水シート１０ａを展張して敷設する場合の敷設機構である。
【００２５】
本敷設機構では、トンネルの周面に略倣う形状の外周面を有する防水シート架台２の外周面が、吹付コンクリート１０２の内周面から離間するように配置され、更に防水シート架台２の外周面が吹付コンクリート１０２の内周面に略倣うように配置される。防水シート架台２は、内側の架台支持フレーム２１と架台支持脚２２で支持される。
【００２６】
防水シートロール受台１は、トンネルの下部の幅方向における一方の端部近傍に設けられ、送りローラー１６の軸方向がトンネルの延長方向と略並行となるように設置される。本例では、複数の防水シートロール受台１がトンネルの延長方向に間隔を開けて設けられており、単独で一体的な管状若しくは棒状の連結ロッド６が送りローラーの軸方向と並行に延設され、複数の防水シートロール受台１の正面側のロッド保持部１５の各々で連結ロッド６が保持されている（図４、図５参照）。連結ロッド６の長さは、トンネルの延長方向に間隔を開けて設置する防水シートロール受台１の個数や間隔に対応して適宜調整することが可能である。
【００２７】
牽引索３は、トンネルの下部の幅方向における他方の端部側から、防水シートロール受台１が配置されている一方の端部側へと防水シート架台１の外周に架け渡されるように設けられ、先端側が防水シートロール受台１に載置される防水シートロール１０の巻き終わり端に取り付けられる。牽引索３の先端側を取り付ける構成は防水シート１０ａを破損させずに牽引できるように取り付ける構成であれば適宜であり、例えば図４に示すように防水シート１０ａの巻き終わり端を挟持する取付具３１を介して取り付け、取付具３１を巻き終わり端を挟み込むように取り付け、取付具３１を先端部分で分岐した牽引索３で牽引するようにしてもよい。尚、牽引索３は、防水シートロール１０から防水シート１０ａを引き出すように牽引可能な索体であれば適宜であり、例えば所要強度を有するワイヤ、チェーン、ロープ或いは帯体等とすることが可能である。
【００２８】
牽引索３の基端側は、トンネルの下部の幅方向における他方の端部側に配置されるウィンチ４に取り付けられ、ウィンチ４を駆動することにより、防水シート架台１の外周に架け渡されている牽引索３を他方の端部側に引っ張り、牽引索３の先端側に取り付けられている防水シート１０ａを他方の端部側に引っ張ることが可能になっている。ウィンチ４、牽引索３による防水シート１０ａの牽引により、防水シートロール１０は防水シートロール受台１の送りローラー１６上で送りローラー１６の回転による補助で回転し、防水シート１０ａがスムーズに引き出されていく。
【００２９】
更に、本例の敷設機構では、トンネルの下部の幅方向における一方の端部側において、防水シートロール受台１に載置される防水シートロール１０から引き出される防水シート１０ａを、防水シート架台２の外周面側に誘導する誘導ローラー５が設けられる。誘導ローラー５は、防水シートロール受台１から離間した位置で防水シート架台２の外周面より下方の位置に防水シート１０ａの移動に応じて回転可能に設けられ、図示例では、防水シート架台２に固定されている支持体に軸支されている。
【００３０】
また、図示例の防水シート１０ａが引き出される防水シートロール１０は、芯管がなく巻き始め端から巻き終わり端まで防水シート１０ａが巻き込まれたものである。また、本例の防水シート１０ａは、防水シート本体と不織布が積層されたものであり、その幅は防水シート架台２の幅に対応して例えば１０．６ｍ幅とされる。この防水シート１０ａは、不織布側がトンネル掘削面側或いは吹付コンクリート１０２側となるように防水シートロール１０から引き出され、防水シート架台２の外周面にて、不織布側をトンネル掘削面側或いは吹付コンクリート１０２側となるようにして展張される。
【００３１】
本例の防水シートロール１０は、芯管がないことから芯管の潰れないように管理する必要が無く、又、図９に示すように、保管場所に積み上げたときに防水シートロール１０が扁平になるので積み上げた際の高さ、容積が少なくなる。また、芯管がない分、同一長さの防水シート１０ａを芯管を用いてロールにする場合に比べ、個々の防水シートロール１０の容積も小さくすることができる。
【００３２】
次に、本敷設機構によって防水シート１０ａを展張、固定して敷設する工程例について説明する。まず、図７（ａ）に示すように、トンネル掘削面を覆うように内側に吹付コンクリート１０２を設けると共に、吹付コンクリート面から地山１０１にロックボルト１０３を放射状に打設する。その後、図３〜図６に示すように、複数の防水シートロール受台１を連結ロッド６で連結して設置し、防水シートロール受台１の送りローラー１６上に芯管無しで巻き始め端から巻かれた防水シートロール１０を載置すると共に、防水シート架台２、牽引索３、ウィンチ４、誘導ローラー５を配置し、牽引索３の先端側を防水シートロール１０の巻き終わり端に取り付ける。そして、ウィンチ４を駆動して牽引索３を引っ張って防水シートロール１０から防水シート１０ａを引き出し、防水シート１０ａを防水シート架台２の外周面に沿うようにして展張する。
【００３３】
その後、図６に示すトンネルの下部の幅方向における両端部の吹付コンクリート１０２に取り付けられているエアバルク７と、図８に示す防水シート架台１のトンネル掘進方向の先端部の褄部２３に設けられているエアバルク７ａをエア供給して膨らませ、エアバルク７、７ａで展張した防水シート１０ａの下端部と吹付コンクリート１０２との間、防水シート１０ａの先端部と吹付コンクリート１０２との間を閉塞する。尚、展張された防水シート１０ａの後端部と吹付コンクリート１０２との間は、トンネル掘進方向の後側で既に敷設された防水シート１０ａの先端部に設けられたエアバルク７ａ或いは既敷設の防水シート１０ａの背面側に充填された充填材８で閉塞され、既設置のエアバルク７ａ或いは既充填の充填材８と当該箇所で連結される。尚、エアバルク７、７ａはシート敷設作業時に傷付けられることがないように不織布７１等で保護されている。
【００３４】
そして、膨らませたエアバルク７、７ａで漏出を防止するようにして、展張した防水シート１０ａと吹付コンクリート１０２との間の充填材充填用空間１０４にモルタル等の充填材８を充填する。充填した充填材８は、防水シート１０ａの不織布と吹付コンクリート１０２とに固着するようにして硬化し、展張した防水シート１０ａが展張状態を維持するようにして固定され、平滑に敷設される（図７（ｂ）、図８参照）。尚、図８の１０５は支保工、８１は充填材８の注入管、８２は充填材８の充填時に充填材充填用空間１０４からエアを排気する排気管である。
【００３５】
その後、図７（ｃ）に示すように、敷設した防水シート１０ａの内方に二次覆工型枠９を設置し、二次覆工型枠９と敷設した防水シート１０ａとの間に二次覆工コンクリートを打設する。この際、必要に応じ、コンクリート補強鉄筋を建て込んで、トンネル構造を形成する。
【００３６】
本実施形態によれば、防水シートロール受台１の複数の送りローラー１６が防水シートロール１０の回転を外周面から補助し、防水シートロール１０の芯管の有無を問わずに防水シートロール１０の回転を補助することができる。従って、防水シート１０ａを敷設する際に芯管のない防水シートロール１０を用いることができ、防水シートロール１０の荷下ろし、保管作業に芯管折れ曲がり防止用の特殊器具を用いる等の特別な配慮を行わずとも、低コスト、高効率で防水シート１０ａの敷設作業を確実に行うことが可能となる。
【００３７】
また、芯管のない防水シートロール１０により、防水シートロール１０の嵩張りが減った分だけトラックへの積載本数を増やして輸送コストを低減し、芯管のコストを低減することができると共に、芯管の折れ曲がりや潰れで防水シートロール１０を無駄にすることがなく、歩留まりの高い作業が可能となる。更に、芯管のない防水シートロール１０は保管時に楕円状に潰れるので、積上段数を多くする等で保管場所での保管本数を増やすことができる。更に、芯管の廃棄処理が全く不要となる。
【００３８】
また、防水シートロール受台１を相互に連結することにより、連結ロッド６及びロッド保持部１５で一体化した複数の防水シートロール受台１で幅広の防水シートロール１０の回転を補助し、幅広の防水シート１０ａを安定して引き出すことができる。また、防水シート１０ａの幅や重さに合わせて自在に一体的に設ける防水シートロール受台１の設置個数を調整することが可能となる。また、送りローラー１６は非動力で設けられることから、防水シートロール受台１を複数設けても駆動同期させる調整作業は不要である。
【００３９】
また、誘導ローラー５により、防水シートロール１０から防水シート１０ａが引き出されて防水シート架台２の外周面側に導かれる際に、防水シート架台２の構成部品等と防水シート１０ａが接触して防水シート１０ａが破損することを防止することができる。
【００４０】
また、本実施形態の敷設機構或いは敷設方法により、防水シートロール１０の芯管の有無を問わずに、トンネルの周面に略倣うようにして平滑に防水シート１０ａを展張し、敷設することができる。
【００４１】
〔実施形態の変形例等〕
本明細書開示の発明は、各発明、実施形態の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものであり、下記変形例も包含する。
【００４２】
例えば上記実施形態では、芯管のない防水シートロール１０の防水シート１０ａを防水シートロール受台１、敷設機構、敷設方法で展張、敷設する場合について説明したが、本発明の防水シートロール受１台、敷設機構、敷設方法は、芯管のある防水シートロールから防水シートを引き出して敷設する場合にも適用可能である。また、本発明で敷設する防水シートは、不織布と防水シート本体を積層したもの以外にも防水機能を有する適宜のシートとすることが可能である。
【００４３】
また、上記実施形態では、トンネルのアーチ部に防水シート１０ａを施工する場合について説明したが、下側のインバート部に防水シート１０ａを敷設する場合にも、例えば防水シートロール受台１、牽引索３、ウィンチ４で構成される敷設機構で敷設することが可能である。また、使用する防水シートロール１０の防水シート１０ａの長さはトンネル周方向における敷設長分とし、例えばアーチ部とインバート部を別々に施工する際には、アーチ部の長さ、インバート部の長さとする。
【００４４】
また、本発明の防水シートロール受台は、防水シート１０ａ等を防水シート架台２上に展張し、そのままの状態でシート背面と吹付コンクリート面１０２との間の隙間に充填材８を充填し、防水シート１０ａ等を平滑に敷設する場合に適用は限定されず、例えば防水シート１０ａ等を引き出し仮保持しておいて釘やディスクを用いて点止めしていく施工の場合にも適用することが可能である。
【産業上の利用可能性】
【００４５】
本発明は、例えばトンネルの周面に倣うように防水シートを敷設する際に利用することができる。
【符号の説明】
【００４６】
１…防水シートロール受台  １１…側板  １１１…弧状部  １２、１３…支持部材  １４…支持脚  １５…ロッド保持部  １６…送りローラー  １０…防水シートロール  １０ａ…防水シート  ２…防水シート架台  ２１…架台支持フレーム  ２２…架台支持脚  ２３…褄部  ３…牽引索  ３１…取付具  ４…ウィンチ  ５…誘導ローラー  ６…連結ロッド  ７、７ａ…エアバルク  ７１…不織布  ８…充填材  ８１…注入管  ８２…排気管  ９…二次覆工型枠  １０１…地山  １０２…吹付コンクリート  １０３…ロックボルト  １０４…充填材充填用空間  １０５…支保工  ２０１…防水シートロール  ２０２…防水シート  ２０３…芯管  ２０４…鋼管  ２０５…軸受具  ２０６…吊り具  ２０７…バンド
【図１】
0006579703.tif 000002
【図２】
0006579703.tif 000003
【図３】
0006579703.tif 000004
【図４】
0006579703.tif 000005
【図５】
0006579703.tif 000006
【図６】
0006579703.tif 000007
【図７】
0006579703.tif 000008
【図８】
0006579703.tif 000009
【図９】
0006579703.tif 000010
【図１０】
0006579703.tif 000011